(57)【特許請求の範囲】
【請求項１】
電気的接続のための接続部と光コネクタ接続用の光アダプタとを備え、室内壁面の壁面開口部を通してその内側の壁内配線箱側に埋め込み設置する光コンセントであって、
光アダプタを取付けるアダプタベースと、
該アダプタベースに組付けられて電源用コンセントを取付可能とした取付フレームと、
前記アダプタベース及び取付フレームに被蓋させ、前記電源用コンセントの差込側前面を露呈させるコンセント接続用開口部を備えた化粧パネルと、
を有し、
前記電源用コンセントには、当該電源用コンセントと前記壁面開口部における壁面との間に前記取付フレームを挟み込む態様で設置するための保持枠部を備え、
前記取付フレームには、当該取付フレームと前記保持枠部との間に介在させて当該保持枠部を所望の高さに嵩上げして、前記コンセント接続用開口部にて露呈した前記電源用コンセントの差込側前面と、前記化粧パネルの前壁面とを略面一と成すよう調整可能とした調整用部材を備えたことを特徴とする光コンセント。
【請求項２】
前記調整用部材は、前記取付フレームと一体の部品として成型製造して成り、使用時には調整用部材を取付フレームから切断して使用することを特徴とする請求項１記載の光コンセント。
【発明の詳細な説明】
【技術分野】
【０００１】
本発明は、屋内に引き込まれた光屋外線または光屋内線と宅内光コードとの接続に使用するもので、主として壁面からの設置高さの異なる電源用コンセントに対応可能とした光コンセントに関する。
【背景技術】
【０００２】
従来、光コンセントには、建物内の配管出口に埋め込み設置する光アウトレットと、建物内に露出設置する光ローゼットとがある。このうち、例えば、本願出願人により先に出願し、その後、特許登録となった特許文献１に示すようなアウトレット構造による光コンセントが公知である。この特許文献１に記載されている光コンセントは、下記の構成および機能を備えている。
【０００３】
すなわち、この光コンセントは、中央の縦長の開口部を介して、各縦列配置で取付けられる電源用コンセントを固定した状態で、室内壁板に設けられた開口部に装着後、当該壁板にネジ止め固定されるアダプタベースと、該アダプタベースに前面から取付けられ、前記電源用コンセントの電気的接続のための複数口の例えば２個が縦一列となった接続部（図示せず）を形成して成る１口型（一連タイプ）の化粧パネルとを備え、光アダプタに対する光コネクタ挿入用の開口部を前記化粧パネルの片側一端における上下対称箇所に設けることで光コネクタの挿入口を左右どちらでも選択できるようにしている。
【０００４】
具体的には、本願図面の図６乃至図８に示すように、アダプタベース２の上面を化粧パネル１で被蓋して成る光コンセントの当該アダプタベース２片側の上下対称位置に光アダプタ５の取付部７が形成され、他側前面に電気系機器の複数の取付部１７が形成されている。使用に際しては、前記光アダプタ５の上下各取付部７に光アダプタ５が取付けられるとともに、前記電気系機器の各取付部１７には、電気系機器として例えば電話用モジユラージャックＭ１とＬＡＮ用モジュラージャックＭ２、及び複数（図示例では３個を縦一列）の電源用コンセントＭ３が各縦列配置で取付けられる。これら部材のアダプタベース２への取付けは化粧パネル１を取り外した状態で行われ、各部材取付け後に化粧パネル１が被蓋される。
【０００５】
また、前記した光アダプタ５は、例えば屋外からの引込線側の光コネクタと使用者側の光コネクタとの二つの光コネクタ同士を接続するためのもので、図７及び図８に示すように、接続挿入部側にシャッタ機構Ｑを備え、前記アダプタベース２に形成されている保持爪部Ｈによって把持された状態で配されている。
【０００６】
また、同じく図６及び図８に示すように、化粧パネル１には、光アダプタ５に対する使用者側光コネクタ接続用の開口部６が化粧パネル１の片側一端における上下対称箇所に設けられ、一方の開口部６が使用可能とされている場合には、他方の開口部６は脱着可能としたキャップ９で閉塞される。
【０００７】
また、同じく図８及び図９に示すように、略コ字枠状の取付フレーム３に矩形枠状の保持枠部４が取付られてアダプタベース２を組付けることで略口型の開口部３ｄが形成されるものとなっている。すなわち、この保持枠部４の内側には、電源用コンセントＭ３が所定の高さとなって組付けられている。具体的には、電源用コンセントＭ３は、同じく図９に示すように、前記アダプタベース２に組付けられている略コ字枠状の取付フレーム３によって保持固定され、更に該取付フレーム３は、同じく図８に示すように、前記アダプタベース２に組付けられることで、略口型の開口部３ｄが形成され、この開口部３ｄ（図中右側）に、電源用コンセントＭ３に組付けられた矩形枠状の保持枠部４が装着され、開口部３ｄの片側（図中左側）に、電話用モジユラージャックＭ１とＬＡＮ用モジュラージャックＭ２が上下配置で組付けられる矩形枠状の保持枠部１４が装着される。ここで、図中の符号３ａは、前記電源用コンセントＭ３の保持枠部４の前面側から、フレーム取付ネジ３ｃによって取付フレーム３をネジ止め固定するために当該取付フレーム３の上下側対称位置に形成されたネジ孔である。
【０００８】
また、同じく図１０及び図１１に示すように、前記保持枠部４は、室内壁面Ｐに形成された壁面開口部Ｐ１を通してその内側の壁内配線箱Ｖ側にコンセント取付ネジ４ａによってネジ止め固定されている。なお、図中の符号３ｂは化粧パネル１をパッチン止め等によって取付けるために取付フレーム３側面の上下対称位置に形成された取付用孔である。この取付用孔３ｂに対応して、化粧パネル１の裏面には、当該取付用孔３ｂに嵌合させるための係合突起１ａが設けられている。また、図１１の係合突起１ａは脚３ｅを介して設けられている。
【０００９】
同じく図１０及び図１１に示すように、前記保持枠部４は、電源用コンセントＭ３の差込側前面Ｍ３ａと配線側後面Ｍ３ｂとの間の側面においてフランジ状となって配置されており、室内壁面Ｐに形成された壁面開口部Ｐ１と、前記取付フレーム３との間に当該保持枠部４を挟み込むようにして前記フレーム取付ネジ３ｃでネジ止め固定されている。
【００１０】
そして、前記アダプタベース２及び取付フレーム３に化粧パネル１が被蓋され、当該取付フレーム３の前記取付用孔３ｂに化粧パネル１の前記係合突起１ａが嵌合し固定される。このとき、電気系機器としての電源用コンセントＭ３の差込側前面Ｍ３ａが化粧パネル１のコンセント接続用開口部１ｂ（接続部）から露呈し、また電話用モジユラージャックＭ１とＬＡＮ用モジュラージャックＭ２が、化粧パネル１のジャック接続用開口部１ｃ（接続部）から露呈するものとなる（同じく図６、図１０、図１１参照）。
【先行技術文献】
【特許文献】
【００１１】
【特許文献１】特許第５３９０５８２号公報（図５、図６）
【発明の概要】
【発明が解決しようとする課題】
【００１２】
しかしながら、前記した本願図面の図１０及び図１１に示すように、従来から普及している電源用コンセントＭ３にはその規格に応じて壁面Ｐからの設置高さ、すなわち電源用コンセントＭ３の差込側前面Ｍ３ａから保持枠部４の壁取付面までの長さの異なるものが２種類（図中、Ｌ１及びＬ２（Ｌ１＜Ｌ２）で示す）あり、化粧パネル１のコンセント接続開口部１ｂ（接続部）より露呈している電源用コンセントＭ３の差込側前面Ｍ３ａは、当該化粧パネル１の前壁面と略面一とならなければ使い勝手が良くないうえに、見栄えも悪いものとなる。したがって、前記電源用コンセントＭ３を交換する際には、それぞれの壁面Ｐからの設置高さ（Ｌ１及びＬ２）に対応する取付フレーム３の部材を複数用意しなければならない。
【００１３】
現状では、本願図面の図１０（ａ）及び図１０（ｂ）に示す取付断面模式図のように、化粧パネル１のアダプタベース２に組付けられる略コ字枠状の取付フレーム３を、電源用コンセントＭ３の差込側前面Ｍ３ａから保持枠部４の壁取付面までの長さＬ１とＬ２とに応じて前後幅の異なるものを２種類用意するか、同じく図１１に示すように、差込側前面Ｍ３ａから保持枠部４の壁取付面までの長さＬ２の如く前記長さＬ１よりも大きな電源用コンセントＭ３を使用する場合には、化粧パネル１の側壁幅が長尺なもの並びに前記脚３ｅ先端に係合突起１ａを付けて長尺としたものを用意して対応しなければならない。
【００１４】
そこで、本発明は、叙上のような従来存した諸事情に鑑み案出されたもので、既存の化粧パネルやアダプタベース（取付フレーム）等を何等変更することなく、壁面からの設置高さ、すなわち差込側前面から保持枠部の壁取付面までの長さの異なる電源用コンセントを使い勝手に優れるとともに、見栄え良く組み付けることができる光コンセントを提供することを目的とする。
【課題を解決するための手段】
【００１５】
上述した課題を解決するために、本発明にあっては、
電気的接続のための接続部と光コネクタ接続用の光アダプタとを備え、室内壁面の壁面開口部を通してその内側の壁内配線箱側に埋め込み設置する光コンセントであって、
光アダプタを取付けるアダプタベースと、
該アダプタベースに組付けられて電源用コンセントを取付可能とした取付フレームと、
前記アダプタベース及び取付フレームに被蓋させ、前記電源用コンセントの差込側前面を露呈させるコンセント接続用開口部を備えた化粧パネルと、
を有し、
前記電源用コンセントには、当該電源用コンセントと前記壁面開口部における壁面との間に前記取付フレームを挟み込む態様で設置するための保持枠部を備え、
前記取付フレームには、当該取付フレームと前記保持枠部との間に介在させて当該保持枠部を所望の高さに嵩上げして、前記コンセント接続用開口部にて露呈した前記電源用コンセントの差込側前面と、前記化粧パネルの前壁面とを略面一と成すよう調整可能とした調整用部材を備えたことを特徴とする。
【００１６】
前記調整用部材は、前記取付フレームと一体の部品として成型製造して成り、使用時には調整用部材を取付フレームから切断して使用することを特徴とする。
【発明の効果】
【００１７】
本発明によれば、従来は電源用コンセントに被せる態様でネジ止めしていた取付フレームを、当該電源用コンセントと壁面との間に挟み込む態様で設置する構造としたことにより、調整用部材（スペーサ）を追加するだけで、既存の化粧パネルやアダプタベース（取付フレーム）等を何等変更することなく、壁面からの設置高さ、すなわち差込側前面から保持枠部の壁取付面までの長さの異なる電源用コンセントを、使い勝手に優れるとともに、見栄え良く組み付けることができる。すなわち、前記取付フレームには、当該取付フレームと前記保持枠部との間に介在させて当該保持枠部を所望の高さに嵩上げして、前記コンセント接続用開口部にて露呈した前記電源用コンセントの差込側前面と、前記化粧パネルの前壁面とを略面一と成すよう調整可能とした調整用部材を備えたことにより、既存の化粧パネルや取付フレームを何等変更することなく、差込側前面から保持枠部の壁取付面までの長さの異なる電源用コンセントを光コンセントに見栄え良く組み付けることができる。しかも、その際、使い勝手にも優れる。また、上下対称位置の光コネクタの挿入口を横２列以上となって隣接配置した多連式の光コンセントでも対応可能であり、光コンセントの用途も大幅に広くなる。
【００１８】
さらに、前記調整用部材は、前記取付フレームと一体の部品として成型製造して成り、使用時には調整用部材を取付フレームから切断して使用するものとしたので、当該取付フレームの１種類の部品でもって、壁面からの設置高さの異なる電源用コンセントに充分に対応できるものとなる。
【図面の簡単な説明】
【００１９】
【図１】本発明を実施するための一形態を示すアウトレット構造による光コンセントの化粧パネル閉蓋状態の斜視図である。
【図２】同じくアウトレット構造による光コンセントの化粧パネル開蓋状態の斜視図である。
【図３】同じくアウトレット構造による光コンセントの分解斜視図である。
【図４】化粧パネルの取付フレームの一例を示す斜視図である。
【図５】アウトレット構造による光コンセントの組立後の状態を示し、（ａ）は電源用コンセントの設置高さ（差込側前面から保持枠部の壁取付面までの長さ）の小さい場合の断面図、（ｂ）は電源用コンセントの設置高さ（差込側前面から保持枠部の壁取付面までの長さ）の大きい場合の断面図である。
【図６】従来例におけるアウトレット構造による光コンセントの化粧パネル閉蓋状態の斜視図である。
【図７】同じく従来例におけるアウトレット構造による光コンセントの化粧パネル開蓋状態の斜視図である。
【図８】同じく従来例におけるアウトレット構造による光コンセントの分解斜視図である。
【図９】同じく従来例における化粧パネルの取付フレームを示す斜視図である。
【図１０】同じく従来例におけるアウトレット構造による光コンセントの組立後の状態を示し、（ａ）は保持枠部の固定位置が高い（差込側前面寄り側）場合の電源用コンセントの設置のための薄幅の取付フレームの使用例を示す断面図、（ｂ）は保持枠部の固定位置が低い（差込側前面と配線側後面との略中間）場合の電源用コンセントの設置のための厚幅の取付フレームの使用例を示す断面図である。
【図１１】同じく従来例におけるアウトレット構造による光コンセントの組立後の状態を示し、保持枠部の固定位置が低い（差込側前面と配線側後面との略中間）場合の電源用コンセントの設置のための厚幅の化粧パネルの使用例を示す断面図である。
【発明を実施するための形態】
【００２０】
以下、図面を参照して本発明に係る光コンセントの実施の一形態を詳細に説明する。なお、本実施形態においては、光コンセントとして、建物内の配管出口に埋め込み設置する光アウトレット構成について説明するが、これに限らず、建物内に露出設置する光ローゼットに本発明による光コンセントを採用しても良いことは勿論である。
【００２１】
本実施形態の光コンセントは、図１乃至図３に示すように、光アダプタ５を取付けるアダプタベース２と、該アダプタベース２に組付けられて電源用コンセントＭ３を取付可能とした取付フレーム３と、アダプタベース２及び取付フレーム３の上面に被蓋させる化粧パネル１とを備え、アダプタベース２自体は、室内壁面Ｐに形成された壁面開口部Ｐ１の開口縁部に固定され、当該壁面開口部Ｐ１内側には筐体状の壁内配線箱Ｖの開口部側が被せられた状態で固定されている。
【００２２】
図２及び図３に示すように、前記アダプタベース２はその片側の上下対称位置に、例えば屋外からの引込線側の光コネクタ５ａと使用者側の光コネクタ（図示省略）との二つの光コネクタ同士を接続するためのシャッタ機構Ｑを備えた光アダプタ５が、当該アダプタベース２に形成されている取付部７の左右に対向する保持爪部Ｈによって把持された状態で保持されている。これに対応して、化粧パネル１には、光アダプタ５に対する使用者側光コネクタ接続用の開口部６が当該化粧パネル１の片側一端における上下対称箇所に設けられ、一方の開口部６が使用可能とされている場合には、他方の開口部６は脱着可能としたキャップ９で閉塞される。なお、本実施形態では、前記取付部７が横並びで二連となって形成されているが、これに限らず取付部７を一連としたり、横並び三連以上にしたり等して構成しても良い。
【００２３】
また、前記アダプタベース２の上記取付部７に隣接して、電話用モジユラージャックＭ１とＬＡＮ用モジュラージャックＭ２が組付けられる矩形枠状の保持枠部１４が保持固定されている。これに対応して、化粧パネル１の前面には、電気系機器の接続部として例えばジャック接続用開口部１ｃ及びコンセント接続用開口部１ｂが形成されている。更に、前記アダプタベース２には、図中右側から略コ字枠状の取付フレーム３が組付けられる。本実施形態においては、前記従来例における図８に示すものと略同様に、取付フレーム３に矩形枠状の保持枠部４が取付られてアダプタベース２を組付けることで略口型の開口部３ｄが形成されるものとなっている。この保持枠部４の内側には、電源用コンセントＭ３が所定の高さとなって組付けられており、前記取付フレーム３は、前記保持枠部４と室内壁面Ｐとの間に挟み込むようにして固定されている。なお、この電源用コンセントＭ３の保持枠部４は、差込側前面Ｍ３ａと配線側後面Ｍ３ｂとの間の側面において、上下に突出したフランジ状となって配置されている（図５参照）。
【００２４】
具体的には、図３及び図４に示すように、取付フレーム３のコ字枠上下対向位置には、前記保持枠部４の上下部位を支持するための支持片部１０が設けられ、該支持片部１０の略中央には、前記保持枠部４の上下部位に各形成された支持孔４１に嵌合させるための支持突起１０ａが各形成されている。これにより、前記取付フレーム３の支持片部１０は、電源用コンセントＭ３を保持する保持枠部４と、前記壁面開口部Ｐ１の開口縁部との間に挟み込む態様で設置される（図５参照）。
【００２５】
また、図５に示すように、前記保持枠部４は、室内壁面Ｐに形成された壁面開口部Ｐ１を通してその内側の壁内配線箱Ｖ側にコンセント取付ネジ４ａによってネジ止め固定されている。なお、図中の符号３ｂは化粧パネル１をパッチン止め等によって取付けるために取付フレーム３側面の上下対称位置に各形成された取付用孔である。この取付用孔３ｂに対応して、化粧パネル１の裏面には、当該取付用孔３ｂに嵌合させるための係合突起１ａが設けられている。
【００２６】
前記取付フレーム３の支持片部１０には、矩形板状の調整用部材８（スペーサ）が当該取付フレーム３と一体の部品として成型製造されており、この調整用部材８を使用する時にはこれを取付フレーム３から切断して使用できるようにしてある。すなわち、この調整用部材８の略中央には前記支持片部１０の支持突起１０ａを嵌合させるための孔部８ａが形成されており、当該調整用部材８をこれの孔部８ａを介して支持片部１０の支持突起１０ａに取付けた後に、保持枠部４の支持孔４１に当該支持突起１０ａを嵌合させることで、前記調整用部材８を保持片部１０と保持枠部４との間に介在させ、これによって当該保持枠部４自体を所望の高さに嵩上げ可能となるようにしてある。
【００２７】
使用に際しては、二連と成した上下各取付部７の一方または双方に光アダプタ５が取付けられるとともに、前記アダプタベース２及び取付フレーム３には、保持枠部１４及び保持枠部４それぞれを介して、電気系機器としての例えば電話用モジユラージャックＭ１とＬＡＮ用モジュラージャックＭ２、及び複数（図示例では３個を縦一列）の電源用コンセントＭ３が各縦列配置で取付けられる。これら部材のアダプタベース２への取付けは化粧パネル１を取り外した状態で行われ、各部材取付け後に化粧パネル１が被蓋される。
【００２８】
次に、以上のように構成された形態についての使用の一例について説明すると、先ず、図３に示すように、アダプタベース２の保持枠部１４にＬＡＮ用モジュラージャックＭ１及び電話用モジュラージャックＭ２を上下配置で各取付け、保持枠部４と室内壁面Ｐとの間に取付フレーム３を挟み込み固定した後に、前記アダプタベース２を前記取付フレーム３に組付け固定する。
【００２９】
具体的には、前記取付フレーム３は、その支持片部１０の上下対称位置にある支持突起１０ａに、電源用コンセントＭ３を保持する保持枠部４の上下の支持孔４１を各装着することにより、当該支持片部１０は、電源用コンセントＭ３を保持する保持枠部４と、前記壁面開口部Ｐ１の開口縁部との間に挟み込む態様で設置される（図３、図５（ａ）参照）。すなわち、図５（ａ）に示すように、この場合の電源用コンセントＭ３の室内壁面Ｐからの設置高さ、すなわち電源用コンセントＭ３の保持枠部４（壁取付面）から差込側前面Ｍ３ａまでの長さＨ２の如く大きい場合には、嵩上げのための調整用部材８を必要としない。この場合、組込みの邪魔とならないよう取付フレーム３から調整用部材８を切断し除去しておく。
【００３０】
そして、前記アダプタベース２の例えば下方の取付部７に光アダプタ５を取り付ける。このとき、図３に示すように、光アダプタ５の上側壁における凸部２１を化粧パネル１の開口部６近傍の窓部２３に嵌挿させることで、光アダプタ５は化粧パネル１の開口部６内側で収容固定される。なお、このときの光アダプタ５の他方の嵌合部には、屋外からの引込線側の光コネクタ５ａ（この他、光回線終端装置側の光コネクタでも良い）が嵌合接続されている。
【００３１】
一方、使用されない他方（上方）の開口部６は脱着可能としたキャップ９で閉塞される。このキャップ９が開口部６に挿入された際には、窓部２３に凸部９ａが係合してキャップ９は固定される（図１、図３参照）。
【００３２】
また、図５（ｂ）に示すように、電源用コンセントＭ３の保持枠部４（壁取付面）から差込側前面Ｍ３ａまでの長さＨ１の如く前記した長さＨ２よりも小さい場合には、前記調整用部材８を取付フレーム３から切断し、この調整用部材８の孔部８ａを、前記支持片部１０の支持突起１０ａに装着し、この調整用部材８の上に保持枠部４の支持孔４１を前記支持突起１０ａに装着させることで、当該保持枠部４自体を所望の高さに嵩上げされる。これにより、前記化粧パネル１のコンセント接続開口部１ｂ（接続部）より露呈している電源用コンセントＭ３の差込側前面Ｍ３ａは、当該化粧パネル１の前壁面と略面一となって使い勝手および見栄えを良好なものとすることができる。  
【００３３】
尚、上記した実施形態においては、光コンセントとして、建物内の配管出口に埋め込み設置する光アウトレット構成について説明したが、これに限らず、建物内に露出設置する光ローゼットに本発明によるこの光コンセントを採用しても良い。また、前記電源用コンセントＭ３の差込側前面Ｍ３ａから配線側後面Ｍ３ｂまでの長さの異なる場合についても、上記した調整用部材８を介しての保持枠部４の嵩上げにより、化粧パネル１のコンセント接続開口部１ｂ（接続部）より露呈している電源用コンセントＭ３の差込側前面Ｍ３ａと化粧パネル１の前壁面とを略面一となして使い勝手を良くするとともに、見栄えも良好なものとすることができることは勿論である。
【符号の説明】
【００３４】
Ｐ          壁面
Ｐ１        壁面開口部
Ｑ          シャッタ機構
Ｍ１        電話用モジュラージャック
Ｍ２        ＬＡＮ用モジュラージャック
Ｍ３        電源用コンセント
Ｍ３ａ      差込側前面
Ｍ３ｂ      配線側後面
Ｈ          保持爪部
Ｈ１、Ｈ２  保持枠部から差込側前面までの長さ
Ｌ１、Ｌ２  差込側前面から配線側後面までの長さ
Ｖ          壁内配線箱
１          化粧パネル
１ａ        係合突起
１ｂ        コンセント接続用開口部
１ｃ        ジャック接続用開口部
２          アダプタベース
３          取付フレーム
３ａ        ネジ孔
３ｂ        取付用孔
３ｃ        フレーム取付ネジ
３ｄ        開口部
３ｅ        脚
４          保持枠部
４ａ        コンセント取付ネジ
５          光アダプタ
５ａ        屋外からの引込線側の光コネクタ
６          開口部
７          取付部
８          調整用部材
８ａ        孔部
９          キャップ
９ａ        凸部
１０        支持片部
１０ａ      支持突起
１４        保持枠部
１７        取付部
２１        凸部
２３        窓部
４１        支持孔
【図１】
0006522463.tif 000002
【図２】
0006522463.tif 000003
【図３】
0006522463.tif 000004
【図４】
0006522463.tif 000005
【図５】
0006522463.tif 000006
【図６】
0006522463.tif 000007
【図７】
0006522463.tif 000008
【図８】
0006522463.tif 000009
【図９】
0006522463.tif 000010
【図１０】
0006522463.tif 000011
【図１１】
0006522463.tif 000012